(57)【特許請求の範囲】
【請求項１】
箱体（１）内に石抜機（１０）と精米機（２５）を備える機械室（Ｋ）と、精米機（２５）の精米処理で発生して空気搬送した糠を収容する糠室（Ｎ）を左右に隣接して設け、機械室（Ｋ）と糠室（Ｎ）とは仕切壁（３２）で仕切る構成とし、仕切壁（３２）には空気を通過させる通気孔（Ｔ）を設け、
玄米を投入する投入ホッパ（７）を石抜機（１０）の上方に設け、
投入ホッパ（７）の投入口（７ａ）を蓋（８）で開閉する構成とし、該蓋（８）はロック部材（３６）によりロック状態、又はロック解除状態に切換可能に構成し、
投入ホッパ（７）を振動させる振動モータ（７ｄ）を設け、
料金投入口（６）に料金を投入し、石抜機（１０）と振動モータ（７ｄ）を所定時間駆動した後に、ロック部材（３６）がロック解除状態となり、前記蓋（８）を開放動作可能に構成することを特徴とする精米設備。
【請求項２】
蓋（８）のロック部材（３６）がロック状態であることを検出しないと精米運転を開始しないことを特徴とする請求項１記載の精米設備。
【発明の詳細な説明】
【技術分野】
【０００１】
本発明は、利用者が持参した籾や玄米等の穀物を精米処理する精米設備に関する。
【背景技術】
【０００２】
特許文献１では、箱体内に精米機や石抜機を収容した自動販売機型の精米設備が開示されている。
【先行技術文献】
【特許文献】
【０００３】
【特許文献１】特許第４０３３７１７号公報
【発明の概要】
【発明が解決しようとする課題】
【０００４】
自動販売機型の精米設備は主として都市部に設置するためのもので、コンパクトで設置面積が小さいことが望ましい。
また、機械室内は糠吸引ファンで精米機の精米処理で発生した糠を糠室に搬送するが、そのため、機械室内は負圧になってしまい、糠吸引搬送能力の低下を招く。
【０００５】
本発明は、設置面積の少ない精米設備にすると共に、機械室で発生する糠吸引搬送能力の低下を防止することを課題とする。
【課題を解決するための手段】
【０００６】
この発明は、かかる技術的課題を解決するために次のような技術的手段を構成した。すなわち、請求項１の発明では、箱体（１）内に石抜機（１０）と精米機（２５）を備える機械室（Ｋ）と、精米機（２５）の精米処理で発生して空気搬送した糠を収容する糠室（Ｎ）を左右に隣接して設け、機械室（Ｋ）と糠室（Ｎ）とは仕切壁（３２）で仕切る構成とし、仕切壁（３２）には空気を通過させる通気孔（Ｔ）を設け、玄米を投入する投入ホッパ（７）を石抜機（１０）の上方に設け、投入ホッパ（７）の投入口（７ａ）を蓋（８）で開閉する構成とし、該蓋（８）はロック部材（３６）によりロック状態、又はロック解除状態に切換可能に構成し、投入ホッパ（７）を振動させる振動モータ（７ｄ）を設け、料金投入口（６）に料金を投入し、石抜機（１０）と振動モータ（７ｄ）を所定時間駆動した後に、ロック部材（３６）がロック解除状態となり、前記蓋（８）を開放動作可能に構成することを特徴とする精米設備。
とする。
【０００７】
請求項２の発明では、蓋（８）のロック部材（３６）がロック状態であることを検出しないと精米運転を開始しないことを特徴とする請求項１記載の精米設備とする。
【発明の効果】
【０００８】
請求項１記載の発明では、糠室（Ｎ）と機械室（Ｋ）とを空気連通する構成としたため、精米機（２５）で発生した糠を糠室（Ｎ）に空気搬送すると、機械室（Ｋ）が負圧となり糠室（Ｎ）が加圧となるが、通気孔（Ｔ）により糠室（Ｎ）から空気が機械室（Ｋ）へ流れるため、機械室（Ｋ）が負圧となることによる空気搬送能力の低下を防止することができる。
【０００９】
また、投入ホッパ（７）の底部に若干残る前の利用者の玄米を除去することで、次の利用者の玄米に混じることを防止することができる。
【００１０】
請求項２記載の発明では、蓋（８）のロック部材（３６）のロック状態を検出しないと精米運転は開始しない構成のため、精米運転後、蓋（８）が開放状態になり、投入ホッパ（７）内に異物を投入されることを防止することができる。また、投入ホッパ（７）の容量以上の玄米を一度に精米することを防止することができる。
【図面の簡単な説明】
【００１１】
【図１】正面から見た精米設備
【図２】開放扉を開いた精米設備の内部を説明する図
【図３】Ａ側から見た機械室の内部を説明する図
【図４】Ｂ側から見た機械室の内部を説明する図及び通気孔を示す図
【図５】平面から見た機会室の内部を説明する図
【図６】（イ）排出シャッタの平面図、（ロ）排出シャッタの側面図
【図７】石抜機の取り付けを説明する図
【図８】フローチャート
【図９】ブロック図
【図１０】投入ホッパの取り外しを説明する図
【図１１】石抜機の揺動選別板面を示す図
【発明を実施するための形態】
【００１２】
本発明の精米設備の構成について説明する。
箱体１の正面側に箱体１の正面を覆う縦軸２ｃ回りの開閉扉２を設ける。箱体１は前後左右に複数設けるジャッキ５０で支持される。
【００１３】
開閉扉２には玄米投入部３用の切欠き部２ａと、白米取出部４用の切欠き部２ｂとを形成する。
また、開閉扉２の前面には操作盤５を設ける。操作盤５は料金投入口６と精白度選択スイッチＳを設ける。開閉扉２の裏面には図示はしないがコントローラや各種配線等の電子機器を取り付けている。
【００１４】
箱体１の正面側の左右一側に形成する玄米投入部３は投入フード９で空間を形成し、その下部に投入ホッパ７の投入口７ａを設ける。投入ホッパ７の投入口７ａは横開きの蓋８で開閉する構成である。投入ホッパ７の下部の傾斜面には玄米の有無を検出する玄米投入センサ７ｃを設ける。投入ホッパ７の底部に開口部７ｂを設け、該開口部７ｂの下方には石抜機１０の揺動選別板１１の選別板面が配置される。なお、投入ホッパ７はヒータ（図示せず）で暖め、雨天時の湿気を取ることができる構成である。
【００１５】
箱体１の側壁１ａに沿って配置する石抜機１０は斜め傾斜姿勢に配置する揺動選別板１１と、揺動選別板１１の下方に配置する送風ファン１２とを設け、送風ファン１２の送風が揺動選別板１１に多数形成する突起の通風孔１１ｃを通過し、玄米と石とを比重選別する周知の構成で、石は上流側１１ａに移動し、玄米は下流側１１ｂに流下する。揺動選別板１１の下流側１１ｂには玄米案内シュート１３を設け、昇降機１４の投入案内ホッパ１５と接続する構成である。また、揺動選別板１１の上流側１１ａには石抜シャッタ４６と石排出シュート１６と残米排出シュート１７と、石排出シュート１６側と残米排出シュート１７側とを切り換える切換弁１８とを設ける。石排出シュート１６の排出側には石貯留箱１９を設け、残米排出シュート１７の排出側には残米貯留箱２０を設けている。４７は石抜機駆動モータである。
【００１６】
揺動選別板１１の上流側１１ａと下流側１１ｂには長筒状の磁石をそれぞれ設ける。上流側１１ａの磁石２１は磁石２１の長手方向を玄米流下方向Ｒに沿って配置している。下流側１１ｂの磁石２２は揺動選別板１１上面に近接する位置にあって、磁石２２の長手方向を玄米流下方向Ｒと交差する方向に沿って配置している。
【００１７】
この実施の形態では揺動選別板１１の上流側１１ａが機体前側に、下流側１１ｂが機体後側になるように石抜機１０を配置している。
昇降機１４は石抜機１０の左右側方でかつ機体後側に設け、昇降機１４の投げ口１４ａを機体前側に向かって設け、投げ口１４ａの下方には玄米を一時貯留する玄米タンク２３を設けている。玄米タンク２３の下部には玄米を繰り出すロータリバルブ２４を設け、ロータリバルブ２４の下方には精米機２５を設けている。４８は昇降機駆動モータである。
【００１８】
精米機２５は供給側を機体後側に排出側を機体前側に斜め姿勢に配置し、上位の供給側の下方の空間に精米機駆動モータ２６を設け、精米機駆動モータ２６の下方に精米運転で発生する糠を吸引し、糠室Ｎに搬送する糠吸引ファン２７を設けている。精米機２５の排出側には排出した精白米を案内する精白米案内シュート４０と、精白度を調節する精白度調節機構４１を設け、精白米案内シュート４０の下方には精白米を収容する白米ホッパ２８を設ける。
【００１９】
白米ホッパ２８の正面壁を切欠部２ｂにより露出し透明窓２８ｂを形成し利用者が白米ホッパ２８内を視認できる構成としている。底部には開口部２８ａを、該開口部２８ａを開閉する排出シャッタ３０を設ける。排出シャッタ３０の周囲には白米取出部４の空間を形成する取出フード２９を設け、取出フード２９の下面２９ａを前下がりに傾斜して形成している。
【００２０】
排出シャッタ３０は開口部２８ａを塞ぐ底板部３０ａと、底板部３０ａの左右両側にそれぞれ衝立状に形成する壁部３０ｂと、底板部３０ａの前部の上方を覆う覆い部３０ｃと、覆い部３０ｃに形成する透明窓３０ｄと、左右両側の壁部３０ｂそれぞれに形成する取っ手３０ｅと、横軸芯の回動軸３０ｆと、スプリング３０ｇとから構成される。底板部３０ａの前端と覆い部３０ｃとの間には排出口３０ｈを形成する。
【００２１】
覆い部３０ｃは開閉扉２より前側に突出して設け、初期位置を略水平の横姿勢に構成する。そして、回動軸３０ｆを回動すると底板部３０ａと覆い部３０ｃも下方に回動し、前下がりの傾斜姿勢となり、白米ホッパ２８の開口部２８ａが開放される。底板部３０ａと覆い部３０ｃを初期位置に戻すのはスプリング３０ｇによる。３１は折り畳み式の袋置き台である。
【００２２】
石抜機１０や精米機２５を備える機械室Ｋの側方には仕切壁３２で仕切られた糠室Ｎを設ける。糠室Ｎは糠吸引ファン２７により仕切壁３２を貫通する貫通孔３２ａを通過する糠搬送筒５０を搬送された糠と空気を分離するサイクロン３３と、サイクロン３３で分離した糠を搬送する糠搬送ラセン３４を内装した糠移送樋３４ａと、糠搬送ラセン３４で搬送された糠を収容する糠袋３５を設ける。サイクロン３３の上端に分離した空気を排出する空気排出口３３ｂ、下端には分離した糠が落下排出する糠排出口３３ａを形成し、糠排出口３３ａは糠移送樋３４ａの供給口（図示せず）の上方に対向する構成である。仕切壁３２には機械室Ｋと連通する通気孔Ｔを形成し、通気孔Ｔには空気は通過して糠は通過しない網目状のフィルタＦを設けている。通気孔Ｔはサイクロン３３の糠排出口３３ａの高さ位置よりも上位に形成している。
【００２３】
糠搬送ラセン３４は箱体１の糠室Ｎ側の側壁１ｂに隣接して沿うように配置する。
開閉扉２は機械室Ｋと糠室Ｎの正面側を覆う構成で、縦軸芯の開閉扉２をＹ側に開けると機械室Ｋと糠室Ｎが開放状態となる構成である。そのため、管理者は糠室Ｎと機械室Ｋの両方を同時にメンテナンスを行える。また、開閉扉２の縦軸２ｃを機械室Ｋ側に設けることで、糠室Ｎ側を大きく開放できるため、糠室Ｎから糠を取り出し易い。また、開閉扉２の裏面のコントローラや各種配線等の電子機器を糠室Ｎから遠ざけることができ、糠が付着し難くすることができる。
【００２４】
次に精米運転について図８に基づいて説明する。
袋Ｈに玄米を収容して持参した利用者は、まず、料金投入口６に料金を投入すると後述する清掃工程が行なわれ、次いで、蓋８のロック部材３６のロックが解除される。蓋８を利用者が開き、投入ホッパ７の投入口７ａに持参した玄米を投入し、蓋８を閉じて蓋ロック検出センサ３７がロック部材３６のロックを検出すると、精白度選択スイッチＳが選択可能となる。精白度選択スイッチＳで所望の精白度を選択操作すると、機械室Ｋ及び糠室Ｎの装置各部は駆動を開始し、投入料金に応じた運転時間、運転がなされる。
【００２５】
投入ホッパ７内の玄米は投入ホッパ７の開口部７ｂから石抜機１０の揺動選別板１１の上流側１１ａに落下供給される。そして、上流側を流れる玄米に混じる金属類が磁石２１で除去される。
【００２６】
揺動選別板１１では玄米と玄米に混じる石とが比重選別され、石は上流側へ移動し、玄米は下流側に流下する。流下する玄米は途中、揺動選別板１１面左右幅にわたって設ける磁石２２で流下する玄米に混じる金属類が除去される。
【００２７】
玄米は玄米案内シュート１３を通過して、投入案内ホッパ１５を経て昇降機１４で揚穀されて、投げ口１４ａから玄米タンク２３に貯留される。玄米タンク２３の玄米はロータリバルブ２４で順次精米機２５へ供給され、精白度調節機構４１による精白圧力の調節により設定した精白度で排出され、精白米案内シュート４０を通過して白米ホッパ２８に貯留される。そして、運転時間が経過すると精米運転は停止する。
【００２８】
料金切れによる精米運転停止時に、投入センサ７ｃが玄米有りを検出すると、追加料金の必要なことを音声や表示装置等で報知し、利用者が料金を追加すると再度精米運転が開始される。また、精米運転中に投入センサ７ｃが玄米の無しを検出すると、石抜機１０、昇降機１４、精米機２５の工程順に停止する終了動作工程が行なわれる。石抜シャッタ４６が開いて石を石排出シュート１６から石貯留箱１９に排出するのはこの工程時である。
【００２９】
白米ホッパ２８の精白米を取り出すとき、利用者は取っ手３０ｅに袋Ｈを引っ掛けると共に、取っ手３０ｅを把持して排出シャッタ３０を下方へ回動する。すると開口部２８ａが開放され、精白米が前下がり傾斜姿勢の底板部３０ａを流下して排出口３０ｈから袋Ｈに収容される。利用者は覆い部３０ｃの透明窓３０ｄで精白米の流下状況を視認し、精白米の流下が終わると取っ手３０ｅから袋を外して取っ手３０ｅから手を離す。すると排出シャッタ３０はスプリング３０ｇの作用で初期位置に自動的に戻る。
【００３０】
利用者は、手動で排出シャッタ３０を操作して精白米を袋受けすることができるため、足元が安定し、安全な精白米の取り出しを行なうことができる。また、精白米の排出時、底板部３０ａが前下がり姿勢のため、底板部３０ａを流下する精白米を袋で受け易い。
【００３１】
また、取っ手３０ｅに袋Ｈの把持部を引っ掛けながら利用者が取っ手３０ｅを把持して排出シャッタ３０を回動することができるため、操作し易く、精白米を袋Ｈに受け易い。
また、底板部３０ａの左右両側には壁部３０ｂを形成することで精白米が左右からこぼれないで袋Ｈに集中して収容することができる。また、袋Ｈに精白米が順次収容され、袋Ｈが自重で下がるのを袋置き台３１で支えることができる。また、排出シャッタ３０の前端部は開閉扉２の面位置よりも前側に突出している構成のため、利用者は袋Ｈをセットし袋Ｈで精白米を受け易い。
【００３２】
また、底板部３０ａを流下する精白米は覆い部３０ｃで飛び跳ねるのを防止されながら排出口３０ｈから袋Ｈに排出されるため、排出時の精白米が飛び跳ねるのを防止し、確実に袋Ｈ内に収容することができる。また、透明窓３０ｄで流下する玄米の様子を視認することができる。
【００３３】
さらに、取出フード２９の下面２９ａを前下がりに傾斜して形成していることで、取出フード２９の下面２９ａにこぼれた玄米が傾斜面により流下するため、下面２９ａに残留することを防止し、非精米運転時の見栄えが悪くなるのを防止することができる。
【００３４】
次に、前述の清掃工程について説明する。
清掃工程とは、投入ホッパ７の底部に若干残る前の利用者の玄米を除去することで、次の利用者の玄米に混じることを防止する工程である。
【００３５】
具体的には、利用者が料金を投入すると、所定時間（例えば６秒）投入ホッパ７を振動させる振動モータ７ｄと石抜機１０が駆動し、投入ホッパ７内に残留する玄米は、通常精米運転時と異なり、少量のため揺動選別板１１を流下せず、揺動選別板１１の上流側１１ａに移送される。そして、石抜シャッタ４６が開くと共に、切換弁１８が残米排出シュート１７側に切り換えられ、残留玄米は残米貯留箱２０に貯留される。前記所定時間が経過すると清掃工程にかかる装置の駆動が停止し、投入ホッパ７の蓋８のロック部材３６のロックが解除され、利用者は蓋８を開けて玄米を投入する。
【００３６】
次に、石抜機１０のメンテナンスについて図７と図１０に基づき説明する。
ベルト交換等のメンテナンスで石抜機１０を箱体１の外側に出す場合、まず、投入ホッパ７を支持する支持プレート４２を取り外すと投入ホッパ７が取り外せる。そして、石抜機１０の前側の下部に形成する支点軸４３を支点に石抜機１０の後側を持ち上げすると、玄米案内シュート１３が持ち上げられ、投入案内ホッパ１５から離れる。また、石抜機１０の位置決めをする位置決めボルト４４から石抜機１０側に形成している位置決め孔４５が外れる。そして、石抜機１０を前側に引き出せる。
【００３７】
石抜機１０を初期位置にセットするときには、石抜機１０の後側を持ち上げた状態で、位置決めボルト４４に位置決め孔４５が挿入するように後側を降ろすと、玄米案内シュート１３が投入案内ホッパ１５に挿入される。
【００３８】
簡単な構成で、石抜機１０の着脱を行なうことができる。
次に、本実施の形態から生じる効果について説明する。
精米機２５の精米運転で発生した糠を糠吸引ファン２７で吸引して糠搬送筒５０で糠室Ｎに空気搬送すると、機械室Ｋが負圧となり糠室Ｎが加圧となる。しかし、通気孔Ｔにより糠室Ｎから空気が機械室Ｋへ流れるため、機械室Ｋの負圧状態が解消される。従って、糠吸引ファン２７空気搬送能力の低下を防止することができる。
【００３９】
また、通気孔Ｔに空気を通過させて糠を通過させないフィルタＦを設けたことで、糠室Ｎ内の糠が機械室Ｋ内へ流入することによる機械室Ｋ内の汚れを防止することができる。
また、糠室Ｎには糠と空気とを分離するサイクロン３３を設け、サイクロン３３の上部に空気排出口３３ｂを設け、下部に糠排出口３３ａを設け、糠排出口３３ａの下方には糠移送ラセン３４を設け、糠移送ラセン３４の下方には糠袋３５を設け、仕切壁３２に設ける通気孔Ｔの位置をサイクロン３３の糠排出口３３ａよりも上位に設けることで、糠排出口３３ａから排出された糠は糠移送ラセン３４を経て糠袋３５へ収容される。そのため、糠が通気孔Ｔまで上昇し難く、糠が機械室Ｋへ流入したり、フィルタＦに付着し難くすることを防止することができる。
【００４０】
また、箱体１内の機械室Ｋ側の側壁１ａに隣接して石抜機１０を配置し、中央に精米機２５を配置し、精米機２５に隣接して仕切壁３２を配置し、糠室Ｎを配置した構成により、設置面積が小さく、また精米機２５の騒音が箱体１外に漏れ難い精米設備とすることができ、人口が多い都会にも設置し易い。また、石抜機１０、精米機２５、糠室Ｎの工程順に左右方向に配置するため、昇降機１４や糠搬送筒５０を設けやすくすることができる。
【００４１】
また、蓋８のロック部材３６のロックを蓋ロック検出センサ３７が検出しないと精米運転は開始しない構成のため、精米運転後、蓋が開放状態になり、投入ホッパ７内に異物を投入されることを防止することができる。また、投入ホッパ７の容量以上の玄米を一度に精米できないため、白米ホッパ２８の容量オーバーを防止することができる。
【符号の説明】
【００４２】
２５  精米機
２７  糠吸引ファン
３３  サイクロン
３３ａ  糠排出口
３３ｂ  空気排出口  
３４  糠移送ラセン
３５  糠袋
５０  糠搬送筒
Ｎ  糠室
Ｋ  機械室
Ｔ  通気孔
Ｆ  フィルタ
【図１】
0005625484.tif 000002
【図２】
0005625484.tif 000003
【図３】
0005625484.tif 000004
【図４】
0005625484.tif 000005
【図５】
0005625484.tif 000006
【図６】
0005625484.tif 000007
【図７】
0005625484.tif 000008
【図８】
0005625484.tif 000009
【図９】
0005625484.tif 000010
【図１０】
0005625484.tif 000011
【図１１】
0005625484.tif 000012